(57)【要約】  【課題】  アライメント精度の高い分割露光が可能な露光装置を提供する。  【解決手段】  マスクマーク２０の位置と基板マーク３０の位置が露光の際にオーバラップし、且つマスクマーク２０は基板マーク３０より大きく、露光光を遮光する。円形のマスクマーク２０の直径φＭと、円形の基板マーク３０の直径φＢは、φＭ＞φＢとなっている。またマスクマーク２０には、遮光膜が形成されている。【選択図】  図１
2009031561.tif 000002
【特許請求の範囲】
【請求項１】
露光光を照射する光源と、露光対象である基板に露光すべきパターンを描いたフォトマスクとを備え、該露光対象である基板の所定領域に前記フォトマスクのパターンを照射する投影露光装置において、
フォトマスクに設けられた位置合わせ用のマスクマークと、
基板に設けられた位置合わせ用の基板マークと、
該マスクマークと基板マークを個別に撮像し、該撮像したマスクマークと基板マークに基づいて、フォトマスクと基板との位置あわせを行う位置合わせ装置と、を備え、
前記マスクマークと前記基板マークが露光の際に重なる位置にあり、
また、前記マスクマークは前記基板マークよりも大きく、
更に、前記マスクマークは露光光に関して遮光性を有する、
ことを特徴とする投影露光装置。
【請求項２】
露光光を照射する光源と、露光対象である基板に露光すべきパターンを描いたフォトマスクとを備え、該露光対象である基板の所定領域に前記フォトマスクのパターンを照射する分割露光方法において、
フォトマスクに設けられた位置合わせ用のマスクマークと、基板に設けられた位置合わせ用の基板マークと、を個別に撮像するステップと、
該撮像したマスクマークと基板マークに基づいて、フォトマスクと基板との位置あわせを行う位置合わせ行うステップと、を有し、
前記マスクマークと前記基板マークが露光の際に重なる位置にあり、
また、前記マスクマークは前記基板マークよりも大きく、
更に、前記マスクマークは露光光に関して遮光性を有する、
ことを特徴とする分割露光方法。
【発明の詳細な説明】
【技術分野】
【０００１】
この発明は、投影露光装置及び分割露光方法に関する。
【背景技術】
【０００２】
フォトレジストなどの感光材料を塗布した基板表面に所定のパターンを露光装置により感光焼き付けし、その後エッチング工程により基板上にパターンを形成するフォトリソグラフィ法が種々の分野で広く応用されており、プリント配線基板等も近年露光装置を用いて製造されている。
【０００３】
従来プリント基板の露光装置は、コンタクト式露光装置による基板全面の一括露光が主流であったが、プリント基板の基材の性質である基板伸縮の影響によりコンタクト式露光装置の場合、位置合わせ精度の要求に応え難くなってきており、基板伸縮の影響を軽減できる投影露光による分割露光の必要性が高まっている。
また、生産効率を高めるために、1回の露光において得られる製品個数を多くするために、いわゆる多面付けの基板デザインが主流になりつつあり、この場合にも分割露光が行われる。
【０００４】
分割露光を行う場合、被露光基板上の露光領域間（製品エリア間）のカッティングライン（カッティングエリア）は、例えばパッケージ基板の場合には０．５mm以下と非常に狭いものとなっている。分割露光の際に使用される基板アライメントマーク（以下基板マークとする）も当然この狭いカッティングエリアに配置される。
【０００５】
このような場合、上記の狭いスペースに各分割露光エリアに対応した基板マークを配置することも考えられるが、現実的ではない。したがって、隣り合う分割露光エリアの基板マークを兼用するのが一般的である。
【０００６】
【特許文献１】特開２００４−１２５９８
【特許文献２】特開２００４−４２１５
【特許文献３】特開２００６−０７２１００
【発明の開示】
【発明が解決しようとする課題】
【０００７】
しかし、分割露光を行う場合、前の露光により前記カッティングエリアも露光してしまい、カッティングエリアにある基板マークとその周辺部が感光して変色し、基板マークの認識性が低下する問題がある。基板マークの認識性が劣化すると次の位置合わせ精度が低下する問題がある。
【０００８】
分割式露光装置や投影露光装置には、特開２００６−０７２１００に代表されるようなマスクシャッタが設けられ、露光部のみを露出出来るようになっており、基板マークの配置されているカッティングエリアは露光せず、製品エリアのみを露光する構成になっている。しかし、カッティングエリアは非常に狭く、基板マークと露光部間のスペースが非常に小さく、またマスクシャッタの位置決め精度には限界があるため、露光部のみを露光させることは技術的に困難であり、基板マークを配したカッティングエリアも同時に露光せざるを得ないのが現状である。
そのため、上記した基板マークの表面を覆う感光性樹脂の露光により変色は避けられず、アライメント精度を悪化させる問題があった。
本発明は上記従来技術の問題を解決することを目的とする。
【課題を解決するための手段】
【０００９】
上記目的を達成するために、本発明は、露光光を照射する光源と、露光対象である基板に露光すべきパターンを描いたフォトマスクとを備え、該露光対象である基板の所定領域に前記フォトマスクのパターンを照射する投影露光装置において、フォトマスクに設けられた位置合わせ用のマスクマークと、基板に設けられた位置合わせ用の基板マークと、該マスクマークと基板マークを個別に撮像し、該撮像したマスクマークと基板マークに基づいて、フォトマスクと基板との位置あわせを行う位置合わせ装置と、を備え、前記マスクマークと前記基板マークが露光の際に重なる位置にあり、また、前記マスクマークは前記基板マークよりも大きく、更に、前記マスクマークは露光光に関して遮光性を有する、ことを特徴とする。
上記構成により、感光性樹脂の意図しない感光による、基板マークの認識精度低下およびアライメント精度悪化の影響を防ぐことができる。
なお、本発明は、マスクマークと基板マークを共通の撮像素子で観察・検出しないアライメント方式（特開２００４−４２１５）、またはマスクマークと基板マークを順次切替えて同一の撮像素子で観察し検出してアライメントを行う方式（特開２００４−１２５９８）に有効となる。
ひとつの撮像素子で同時に基板マークとマスクマークを観測する方式の場合は、マスク側上方より照明し、基板面上にマスク側マークを結像させ、その反射光により観測するため、基板マークはマスクマークの影となり、観測不可能となる。そのため、この方式には採用できない。
【発明の効果】
【００１０】
本発明の投影露光装置及び分割露光方法は、マスクシャッタの非常に高い設定位置精度を要求する必要もなく、また製品間のカッティングエリアを拡げて、基板1枚あたりの製品個数を少なくすることもなく、高アライメント精度を維持した分割露光が可能になる。
【発明を実施するための最良の形態】
【００１１】
以下本発明の実施の形態を図面に基づいて説明する。
図１はプリント配線基板を製造するための投影露光装置であり、フォトレジストを施されたプリント配線基板３は基板ステージ３５に載置され、移動装置３６によりＸＹＺ及びθ方向に移動可能になっている。
なお、移動装置３６は演算制御装置１１に制御される。
【００１２】
露光すべき回路等のパターンが描かれたフォトマスク２は投影露光レンズ７０を介してプリント配線基板３に対向して設けられており、マスクステージ２５に支持されてその位置を調整することができるようになっている。また露光光源７１からの紫外線の露光により回路等のパターンを、投影露光レンズ７０により決定される所定の倍率で拡大或いは縮小或いは等倍にプリント配線基板３に焼き付けるようなっている。
【００１３】
なお、図１ではフォトマスク２とプリント配線基板３は上下方向に配設されているが、これに限定されるものではなく、逆であっても良いし、或いはフォトマスク２とプリント配線基板３を垂直に立てて配設する構造も可能である。
また、プリント配線基板３を移動させるのではなくフォトマスク２を移動させることも可能であり、更に両者を移動させるように構成することも可能である。
【００１４】
フォトマスク２にはマスクマーク２０が設けられており、プリント配線基板３には基板マーク３０が設けられている。このマスクマーク２０と基板マーク３０を用いて位置合わせを行うようになっている。
【００１５】
撮像ユニット１は本体部分に後述するようにＣＣＤカメラや照明装置等を備えており、画像処理装置１０、演算制御装置１１及び表示装置１２に接続している。
撮像ユニット１は移動可能であり、駆動制御装置（図示せず）を介して演算制御装置１１により移動制御されている。
撮像ユニット１は必要に応じて、複数個設けることが可能であり、２個或いは４個設けるのが普通である。
【００１６】
フォトマスク２と露光光源７１との間には、マスクシャッタ４が設けられており、図２に示すようにフォトマスク２に描かれた回路パターン２１の周囲をマスキングして、回路パターン２１部分のみを露光できるようになっている。マスクシャッタ４はマスクシャッタ移動装置４０により移動可能であり、演算制御装置１１に制御されて所定部分の露光を行わせるように構成されている。
【００１７】
図２はフォトマスク２とプリント配線基板３の関係を説明する図であり、模式的にフォトマスク２とプリント配線基板３を並べて描いてある。この実施形態では、フォトマスク２の回路パターン２１をプリント配線基板３の４カ所の分割露光部３１に分割露光するようになっている。
前記基板マーク３０は分割露光部３１の周囲のカッティングエリアの４カ所に設けられており、マスクマーク２０も回路パターン２１の周囲の４カ所に分割露光部３１に対応して設けられている。
分割露光部３１と分割露光部３１に挟まれた、中央位置にある基板マーク３０ｃは、左右の分割露光部３１の露光に兼用される基板マーク３０ｃになっている。
【００１８】
図２において、マスクシャッタ４は、４枚の長方形のシャッタ片４１から形成され、このシャッタ片４１をマスクシャッタ移動装置４０により移動することにより、回路パターン２１の周囲を遮光し、回路パターン２１部分のみを露光できるように構成されているが、シャッタ片４１の位置決め精度に限界があるため、回路パターン２１の周囲には遮光されない空間Ｇができる。回路パターン２１の周囲にはマスクマーク２０とこれに対応する位置に基板マーク３０が存在し、その一部或いは全部が遮光されない空間Ｇの領域に入る。
そのため、露光時にはこの空間Ｇ部分も露光され、基板マーク３０部分も露光されることになる。
【００１９】
共用する基板マーク３０ｃの場合、先の分割露光部３１の露光により、基板マーク３０ｃ部分も露光され、感光されるため、基板マーク３０ｃの認識精度が悪くなり、次の分割露光部３１の位置合わせの際に位置合わせ精度が悪化する問題がある。
【００２０】
本発明の実施形態においては、図３と図４に示すように、マスクマーク２０の位置と基板マーク３０の位置が露光の際にオーバラップし、且つマスクマーク２０は基板マーク３０より大きく、露光光を遮光するように構成されている。図４において、円形のマスクマーク２０の直径φMと、円形の基板マーク３０の直径φＢは、φＭ＞φＢとなっている。
なお、露光光の遮光性のためにマスクマーク２０には、クロム等の金属薄膜から成る遮光膜を形成しておくのが望ましい。
【００２１】
このようにφＭ＞φＢの条件でマスクマーク２０を形成すれば、位置合わせ後の露光に際して、図３に示すようにマスクマーク２０が基板マーク３０部分とその周囲を遮光して遮光エリア３２形成する。この遮光エリア３２に含まれる基板マーク３０及びその周囲のフォトレジスト部３４部分が感光されることがなく、遮光エリア３２は非感光エリアとなる。
そのため、基板マーク３０の認識精度が悪化し、位置合わせの際に位置合わせ精度が悪くなる問題を防止できる。
なお、マスクマーク２０と基板マーク３０の形状は任意であり、円形のほか４角形や他の形であっても良い。露光の際にマスクマーク２０が基板マーク３０を遮光できればどのような形状も採用可能である。
【００２２】
動作を説明する。
最初に、マスクシャッタ４をマスクマーク２０の全体が見えるところまで開き、マスクマーク２０と露光すべき分割露光部３１の基板マーク３０を別々に観察、検出して、それぞれ対応するマークの中心のズレ量が最小になるようにフォトマスク２又はプリント配線基板３をX、Y  θ方向に移動し位置合わせする。
【００２３】
撮像ユニット１は、この実施形態では特開２００４−４２１５に開示したものを使用している。この構成と動作を図５により簡単に説明する。
撮像ユニット１には、基板マーク用ＣＣＤ５とマスクマーク用ＣＣＤ６が個別に設けられており、基板マーク３０とマスクマーク２０を個別に撮像するようになっている。
【００２４】
マスクマーク２０は露光光源７１の紫外線を照射され、投影露光レンズ７０及びハーフミラー６１を通過し、紫外線反射ミラー６０で反射され、レンズ６２、ビームスプリッタ５１を通過し、反射鏡６３で反射され、結像レンズ６４によりマスクマーク用ＣＣＤ６に撮像されるように構成されている。６５は結像面６５である。
紫外線反射ミラー６０により、位置合わせの際には紫外線は基板３には照射されず、紫外線による悪影響が及ばないように構成されている。
【００２５】
一方、基板マーク３０は赤外線或いは可視光を照射する照明装置５０により照射されハーフミラー６１とレンズ６２を通過し、ビームスプリッタ５１で反射して結像レンズ５２を通って、基板マーク用ＣＣＤ５で撮像される。
【００２６】
この基板マーク用ＣＣＤ５とマスクマーク用ＣＣＤ６により得られた基板マーク３０とマスクマーク２０の像データは画像処理装置１０に送られ、ここで所定の処理を受けて、演算制御装置１１に記録され、且つ表示装置１２において再度画像化されて表示される。
【００２７】
該基板マーク３０とマスクマーク２０の位置誤差を求めて、この誤差がゼロになるように基板ステージ３５を移動させて位置合わせを行う。
【００２８】
以上の位置合わせが終わったら、撮像ユニット１を退避させ、マスクシャッタ４により回路パターン２１部分のみを露出させて、露光光源７１による分割露光部３１の露光を実行する。
【００２９】
所定の分割露光部３１の露光が終了したら、次の分割露光部３１の露光を行う。この際に、上記した位置合わせを再度行う。この時、例えば、兼用される基板マーク３０ｃは前回の露光の際に、マスクマーク２０により遮光されているため、図３に示すように遮光エリア３２の中に入っており、基板マーク３０ｃとその周囲は露光されることなく、フォトレジスト部３４の感光はない。そのため、基板マーク３０ｃの識別性は良好なまま維持されており、位置合わせ精度も高いものを維持できる。
【図面の簡単な説明】
【００３０】
【図１】本発明の一実施形態を示す概略正面図。
【図２】本発明のマスクマークと基板マークの一実施形態を示す概略平面図。
【図３】本発明の一実施形態におけるマスクマークによる遮光状態の説明図。
【図４】本発明のマスクマークと基板マークの一実施形態を示す概略正断面図。
【図５】本発明の撮像ユニット１の一実施形態を示す概略正面図。
【符号の説明】
【００３１】
１：撮像ユニット、２：フォトマスク、３：プリント配線基板、４：マスクシャッタ、５：基板マーク用ＣＣＤ、６：マスクマーク用ＣＣＤ、１０：画像処理装置、１１：演算制御装置、１２：表示装置、２１：回路パターン、２５：マスクステージ、２６：フォトマスク移動装置、３０：基板マーク、３１：分割露光部、３２：遮光エリア、３３：露光エリア、３４：フォトレジスト部、３５：基板ステージ、３６：移動装置、４０：マスクシャッタ移動装置、４１：シャッタ片、５０：照明装置、５１：ビームスプリッタ、５２：結像レンズ、６０：紫外線反射ミラー、６１：ハーフミラー、６２：レンズ、６３：反射鏡、６４：結像レンズ、６５：結像面、７０：投影露光レンズ、７１：露光光源。
【図１】
2009031561.tif 000003
【図２】
2009031561.tif 000004
【図３】
2009031561.tif 000005
【図４】
2009031561.tif 000006
【図５】
2009031561.tif 000007